(57)【要約】      （修正有）【課題】用紙の三つ折りを、用紙の器具への位置決めを素早く正確に行なうことができ、折り曲げ工程を簡素化し、綺麗に仕上がる手動器具を提供する。【解決手段】固定プレート１と可動プレート２からなる一対のプレートからなり、可動プレートに支軸４ａを設け、固定プレートには軸受溝３ａを設け、可動プレートの支軸と反対の側面端部にローラ４ｂを有し、固定プレートの側板部３には、ローラを案内するガイド部３ｂを備え、用紙端面を突き当てるストッパー５ａ、７を固定プレートと可動プレートとに設け、ストッパー間の距離は略三つ折り幅に設定し、固定プレートには、可動式ストッパーを設け、また固定プレートに磁石（ａ）を設け、磁石（ａ）の周囲に、かつ磁石（ａ）との対峙面に同極性をもった磁石（ｂ）を可動プレートに配置し、可動プレートが磁力で誘導され、支軸を固定プレートの軸受溝の上部位置に保持された構造とした。【選択図】図１
2019064824.tif 000002
【特許請求の範囲】
【請求項１】
用紙を三つ折りにする際に用いられる手動器具であって、
固定プレートと可動プレートからなる一対のプレートを備え、
該可動プレートの両端部に形成した側板部には支軸を設け、
該固定プレートの両端部には該支軸を保持し、異形孔を有した軸受溝を設け、
該可動プレートを回動自在でかつ昇降自在に連結してなり、
該可動プレートの少なくとも片側の側板部は、該支軸と反対の端部にローラを有し、
該固定プレートの少なくとも片側の側板部は、該ローラを案内するガイド部を備え、
該ガイド部は該可動プレートの回動姿勢を制御するガイド形状を有し、
三つ折りする方向のそれぞれの用紙端面を突き当てるストッパーを、該軸受溝側の端面と、
該支軸部とは反対端面側とに設け、
該固定プレートと該可動プレートに設けたそれぞれの該ストッパー間の距離は、該可動プレートが三つ折りを完了した位置で用紙の略三つ折り幅に設定し、
また、該固定プレートのほぼ中央部には、回動自在で、かつ該可動プレートの移動に合わせて追従する可動式ストッパーを設け、
さらに、用紙の折り返し位置を突き当てるストッパーを該固定プレートと該可動プレートそれぞれの該ストッパーと同一端面に設け、
該軸受溝の上部位置とほぼ同じ位置に該固定プレートにマグネット（ａ）を設け、
該マグネット（ａ）の周囲で、かつ対峙面が同じ極性をもった少なくとも一個以上のマグネット（ｂ）を、磁力が作用する近接した位置の該可動プレートに配置し、
該可動プレートが、磁力で誘導され、該支軸を該軸受溝の上部位置に保持された構造としたことを特徴とする用紙の三つ折り手動器具。
【請求項２】
該可動プレートの両端部に形成した側板部には該支軸を設け、該固定プレートの両端部には該支軸を保持し、該可動プレートが該固定プレートに対して略平行に移動可能なように、該ガイド部に沿って移動する該ローラと該支軸とが協働するようにガイド部の斜面の方向に傾いた長孔の該軸受溝を有した該固定プレートを具備した請求項１項記載の用紙の三つ折り器具。
【請求項３】
用紙の短辺方向の端部をセットする用紙ストッパーを該固定プレートおよび該可動プレートにそれぞれ少なくとも一方の側部に備えた請求項１項または２項に記載の用紙の三つ折り器具。
【発明の詳細な説明】
【技術分野】
【０００１】  本発明は、書状等を三つ折りにする際に用いられる手動器具に関するものである。
【背景技術】
【０００２】  従来、用紙を三つ折りにする際に用いられる補助具を使って、前記用紙の折り幅と略等しい幅を有する一対のプレートを備え、これら一対のプレートの側部を蝶番等で回動自在に連結して、これら一対のプレート間に前記用紙を挟み込むようになされていることを特徴とするものがあった（特許文献１）。
また、用紙端を受ける段差のある治具を三つ折り器具設け、セットした用紙の上から、器具の角をなぞり折れ目をつくるという方法で折るものがあった（特許文献２）。
さらに、定型紙に合せた台板を箱状に成形し、この台板内に用紙を収納する。そして最上の紙から型板に従って一枚を折り出して内側に三つ折り形に折るものがあった（特許文献３）。
【先行技術文献】
【特許文献】
【０００３】
【特許文献１】特開２００１−１３８６９１公報
【特許文献２】特開２０１３−１１６８２１公報
【特許文献３】実登３１４４６５４号公報
【発明の概要】
【発明が解決しようとする課題】
【０００４】  そのため、次のような問題があった。
特許文献１で開示されているような補助具を使って三つ折りにする場合、器具と一緒に折るため、プレートの厚さにより、折れ線がはっきりした線ではなく円弧状態となるため補助具から用紙を外したのち、手で押えて三つ折りにする工程で均等な折り幅をもった三つ折りが難しい。また、用紙に折れ線を設けた後、補助具から引き抜いて手で押えて折り畳まなければならいため手間が掛かる。複数枚の重ねての折り畳みは三つ折りの精度が更に安定しない。
特許文献２で開示されているような折り器を使って三つ折りにする場合、用紙を治具に２度セットし、折れ目を付け、そして治具から外して折れ目をなぞって完全に折り畳むため工程が長い。
特許文献３で開示されているような治具を使って三つ折りにする場合、型板に従って一枚を折り出すため、型板の両側をそれぞれ折り曲げ、更に治具から外してから前記２カ所の曲げ部をそれぞれ手でなぞって完全に折り曲げるため工程が長くなる。【０００５】  そこで、本発明は、これらの問題を解決するために、器具上での用紙の位置決めを簡単かつ精度良くして、同じ器具にそのまま用紙をセットして折り曲げ、さらに曲げ工程の単純化により工程を短くし、複数枚重ねの用紙も正確で安定に三つ折り可能な三つ折り手動器具を提供することを課題とするものである。
【課題を解決するための手段】
【０００６】用紙を三つ折りにする際に用いられる手動器具であって、
固定プレートと可動プレートからなる一対のプレートを備え、
該可動プレートの両端部に形成した側板部には支軸を設け、
該固定プレートの両端部には該支軸を保持し、異形孔を有した軸受溝を設け、
該可動プレートを回動自在でかつ昇降自在に連結してなり、
該可動プレートの少なくとも片側の側板部は、該支軸と反対の端部にローラを有し、
該固定プレートの少なくとも片側の側板部は、該ローラを案内するガイド部を備え、
該ガイド部は該可動プレートの回動姿勢を制御するガイド形状を有し、
三つ折りする方向のそれぞれの用紙端面を突き当てるストッパーを、該軸受溝側の端面と、
該支軸部とは反対端面側とに設け、
該固定プレートと該可動プレートに設けたそれぞれの該ストッパー間の距離は、該可動プレートが三つ折りを完了した位置で用紙の略三つ折り幅に設定し、
また、該固定プレートのほぼ中央部には、回動自在で、かつ該可動プレートの移動に合わせて追従する可動式ストッパーを設け、
さらに、用紙の折り返し位置を突き当てるストッパーを該固定プレートと該可動プレートそれぞれの該ストッパーと同一端面に設け、
該軸受溝の上部位置とほぼ同じ位置に該固定プレートにマグネット（ａ）を設け、
該マグネット（ａ）の周囲で、かつ対峙面が同じ極性をもった少なくとも一個以上のマグネット（ｂ）を、磁力が作用する近接した位置の該可動プレートに配置し、
該可動プレートが、磁力で誘導され、該支軸を該軸受溝の上部位置に保持された構造としたことを特徴とする用紙の三つ折り手動器具である。
【発明の効果】
【０００７】  前記特徴とする構造とすることで、器具上で用紙の位置決めを簡単かつ精度良くして、同じ器具に用紙をセットしたまま折り曲げができ、また複数枚重ねの用紙を正確で安定に三つ折り可能な安価な三つ折り手動器具を提供できる。
【図面の簡単な説明】
【０００８】
【図１】本発明を実施するための一形態における三つ折り器具の構造を反映した斜視図
【図２】図１に示す本発明を実施するための一形態における三つ折り器具の側面図
【図３】図１に示す本発明の三つ折り器具の固定プレートの説明図
【図４】図１に示す本発明の三つ折り器具の可動プレートの説明図
【図５】図１に示す本発明の三つ折り器具の可動式ストッパーの説明図
【図６】本発明における可動プレートと固定プレートとの位置関係を示す説明図
【図７】図１に示す実施形態における使用方法を示す説明図
【図８】図１に示す実施形態におけるプレス開始位置での用紙の状態を示す説明図
【図９】本発明による三つ折りされた用紙形態を示す説明図
【図１０】本発明を実施するための別の形態における三つ折り器具の斜視図
【図１１】図１０に示す本発明の実施形態のおける収納時の状態を示す斜視図
【図１２】図１０に示す実施形態における使用方法を示す説明図
【発明を実施するための形態】
【０００９】  以下、図面を参照して本発明の実施の形態について説明する。
【００１０】  図１、図２は、本発明の一実施例を示すものである。本実施例の用紙の三つ折り手動器具は、固定プレート１と可動プレート２からなる一対のプレートを備え、該可動プレート２の両端部に形成した側板４には支軸４ａを設け、該固定プレート１の両端部には該支軸４ａを保持し、長孔形状を有した軸受溝３ａを設け、該可動プレート２を回動かつ昇降自在に連結されている。
【００１１】該側板４は、該支軸４ａと反対端部にローラ４ｂを有し、一方該軸受溝３ａとは反対端部に、該ローラ４ｂを案内するローラガイド３ｂを備え、該可動プレート２の回動姿勢を制御する概ね円弧形状を有している。
【００１２】  用紙の三つ折りする方向のそれぞれの用紙端面を突き当てる用紙端面ストッパーを、該固定プレート１には該軸受溝３ａ側の端面に曲げ方向の用紙端面（ａ）１１ａのストッパー５ａを設け、また該可動プレート２の該支軸４ａとは反対端面に曲げ方向の用紙端面（ｃ）のストッパー６ａを設けてある。
【００１３】  該固定プレート１と該可動プレート２に設けたそれぞれの該用紙端面ストッパー間の距離は該可動プレート２と該固定プレート１が三つ折りを完了した位置にある時（該可動プレート２が最下点にある時）、用紙１１の略三つ折り幅に設定してある。
【００１４】  また、該固定プレート１の用紙長辺方向のほぼ中央部には、図５に示すように両側にピン（ａ）７ｂ、ピン（ｂ）７ｃを有して回動可能で、かつピン（ａ）７ｂには復帰ばね７ｄを備え、該可動プレート２の移動に合わせて追従する可動式ストッパー７を設けてある。該可動式ストッパー７は、該爪部７ａに用紙１１のＵ字に膨らんだ頂点近傍を手で押えてセットし、該可動プレート２の移動に合わせてＵ字部を保持しながら三つ折りを補助する機能を持っている。
【００１５】  さらに、図３、図４に示すように、Ｓ字形状の用紙１１の折り返し膨らみ部１１ｄ、１１ｅに突き当てる面を、該固定プレート１上には該ストッパー５ａの直上に用紙折り返し膨らみ（ｂ）ストッパー５ｂを設け、可動プレート２上には該ストッパー６ａの直上に用紙折り返し膨らみ（ａ）ストッパー６ｂを設け、それぞれの該ストッパー５ａ、６ａと同一面に配置してある。
【００１６】  該軸受溝３ａの最上点とほぼ同じ位置に該固定プレート１にマグネット（ａ）８を設け、該マグネット（ａ）８の周囲に、かつ該マグネット（ａ）８との対峙面が同じ極性をもった２個のマグネット（ｂ）９を、マグネット（ａ）８との磁力の作用効果がある近接した該可動プレート２上に配置し、用紙のセットポジション以降は該支軸４ａが、マグネット同士の反発力で誘導され、該軸受溝３ａの最上点近傍に保持される構造である。
【００１７】  図６（ａ）〜（ｆ）は、用紙セット位置、用紙プレス開始位置、およびプレス終了位置での該固定プレート１と該可動プレート２との相対的位置関係を示した説明図である。
図６（ａ）、（ｂ）に示すように該マグネット（ａ）８は、該固定プレート１上にあるストッパーブロック（ａ）５の側面に設けられている。該マグネット（ｂ）９は、該マグネット（ａ）８に対峙する該側板４の側面部に、該支軸４ａの周囲に２カ所配置してある。該マグネット（ｂ）９は、該支軸４ａより上方に配置し、該マグネット（ａ）８に対して図６（ｃ）、（ｄ）に示すようにプレス開始位置で上方に配置、また図６（ｅ）に示すようにプレス終了時には、ほぼ同じ高さ位置になるように配置してある。
【００１８】  プレス終了時には、支軸４ａは支軸溝３ａの最下点にある。この状態で可動プレート２を開口する方向に回転させると、マグネット（ａ）８とマグネット（ｂ）９との反発力で誘導され、支軸４ａは支軸溝３ａの最上点に移動する。そして、該可動プレート２を図６（ｂ）に示す矢印Ｃの方向に回転させると、支軸４ａは図６（ｄ）に示すように支軸溝３ａの最上点に維持したまま回転する。
【００１９】前述によって、図６（ａ）、（ｂ）に示す用紙セットポジションから図６（ｃ）、（ｄ）で示す三つ折りし始める待機位置まで、該支軸４ａ側の該固定プレート１と該可動プレート２との間隙を広くする。一方、該ローラ４ｂは該ローラガイド３ｂ上にガイドされた該可動プレート２の先端部の隙間を保持した状態で待機する。これによって、用紙プレス開始位置からプレス終了位置までの該可動プレート２の姿勢を制御する。
【００２０】  該支軸４ａが該軸受溝３ａを図６（ｄ）に示すＤ方向に斜めに降下し、同時に先端部はローラ４ｂが固定プレート１のローラガイド３ｂ面を、円弧Ｅを描きながら降下する。これに伴い該可動プレート２は、プレス開始時点では先端部が斜め上方に傾けて降下、プレス行程が進行するに従ってほぼ水平に降下する。これによって用紙１１を前方に押し出すように下方に直進移動してプレスする。
【００２１】  該可動プレート２は、先端部の傾きを水平もしくは前方先端が僅かに上に傾いている状態とすることで、用紙を一定方向に順次押し潰しながら下降し、最終行程の直前に垂直方向にプレスする。一定方向に押し潰すことによって、用紙１１の折れる位置を安定にすることが可能である。
本発明は以上のような構成である。
【００２２】  次に、以上のように構成された形態についての使用の一例を図７（ａ）〜（ｅ）にもとづいて説明する。
先ずは、図７（ａ）に示すように該可動プレート２を図３に示す可動プレートのストッパー５ｃの位置まで開口し、用紙セットポジションで待機させる。用紙セットポジションにおいて、用紙端面１１ａを該ストッパー５ａに、用紙端面１１ｂを該固定プレート１に設けたストッパー（ａ）３ｃにそれぞれ突き当てて位置決めする。
【００２３】  次に、図７（ｂ）に示すようにもう一方の用紙１１の端面１１ｃを該可動プレート２のストッパー６ａに突き当てる。
【００２４】  さらに、図７（ｃ）に示すように、Ｕ字に曲げられた用紙１１の膨らみの頂点付近を矢印Ｂの方向に押え、該可動式ストッパー７の爪７ａに押し付け、その状態を手で保持する。同時に用紙端面１１ｂをストッパー（ｂ）４ｃに突き当てる。
【００２５】  次に、図７（ｄ）に示すプレス開始位置まで該可動プレート２を矢印Ｃ方向に回転させる。その際に、用紙１１は該固定プレート１と該可動プレート２によって挟まれた状態で折り返され図８に示すＳ字状態となる。用紙１１は、三つ折りする方向の端面１１ａ、１１ｃをそれぞれ該ストッパー５ａ、６ａに突き当てられている。Ｓ字状態の折り返し膨らみ部１１ｄ、１１ｅは、それぞれ該ストッパー５ｂ、６ｂ部および該可動式ストッパー７の爪７ａで拘束されている。
【００２６】  なお、プレス開始位置で、前記用紙セットポジションで用紙端面１１ｃと該ストッパー６ａに突き当たっていることを覗き孔（図示せず）から確認することができる。用紙のズレをこの時点で修正もでき、より正確な三つ折り位置とすることができる。
【００２７】  その後、図７（ｅ）に示すように該可動プレート２を該固定プレート１の方向に降下されてプレスする。
【００２８】  その後、該可動プレート２を図７（ａ）に示す用紙セットポジションまで開口させて、三つ折りされた前記用紙１１を器具から取り出して三つ折り工程は終了する。図９は本発明の実施形態によるＺ字形状に三つ折りにされた用紙１１を示したものである。
【００２９】  次に図１０、図１１は本発明の別の実施例を示す。図１０は本発明の実施例につき使用時の状態を示す。また図１１は本発明の実施例につき、収納時の状態を示す。
本実施例の用紙の三つ折り手動器具は、基本的には図１で示した本発明の実施形態とほぼ同様な構造で用紙の１／３程度長さをプレスして三つ折りを実現したものである。
以下、図面を参照して本発明の別の実施の形態について説明する。
【００３０】  本実施例の用紙の三つ折り手動器具は、図１で示した本発明の実施形態と同様に固定プレート２１と可動プレート２２からなる一対のプレートを備え、該可動プレート２２の両端部に支軸２４ａを設け、該固定プレート２１の両端部には該支軸２４ａを保持し、長孔形状を有した軸受溝２３ａを設け、該可動プレート２２を回動かつ昇降自在に連結されている。
【００３１】  図１０に示すように該可動プレート２２の片端の側板２４は、該支軸２４ａと反対端部にローラ２４ｂを有し、一方該固定プレート２１の片端の側板２３は該軸受溝２３ａとは反対端部に該ローラ２４ｂを案内するローラガイド２３ｂを備え、該可動プレート２２の回動姿勢を制御する概ね円弧形状を有している。
【００３２】  用紙の三つ折りする方向のそれぞれの用紙端面を突き当てるストッパーを、該固定プレート２１には該軸受溝２３ａ側の端面にストッパー２５ａを設け、また該可動プレート２２の該支軸２４ａとは反対端面にストッパー２６ａを設けてある。
【００３３】  該固定プレート２１と該可動プレート２２に設けたそれぞれの該用紙端面ストッパー間の距離は該可動プレート２２と該固定プレート２１が三つ折りを完了した位置にある時（該可動プレート２２が最下点にある時）、用紙１１の略三つ折り幅に設定してある。
【００３４】  また、該固定プレート２１のほぼ中央部には、図５に示すように両側にピン（ａ）７ｂ、ピン（ｂ）７ｃを有して回動可能で、かつピン（ａ）７ｂには復帰ばね７ｄを備え、該可動プレート２２の移動に合わせて追従する可動式ストッパー７を設けてある。該可動式ストッパー７は、爪部７ａに用紙１１のＵ字に膨らんだ頂点近傍を手で押えてセットし、該可動プレート２２の移動に合わせてＵ字部を保持しながら三つ折りを補助する機能を持っている。
【００３５】  さらに、図８に示すＳ字形状の用紙１１の折り返し部１１ｄ、１１ｅに突き当てる面を、該固定プレート２１上には該ストッパー２５ａの直上に用紙折り返し膨らみ（ｂ）のストッパー２５ｂを設け、該可動プレート２２上には該ストッパー２６ａの直上に用紙折り返し膨らみ（ａ）ストッパー部２６ｂを設け、それぞれの該ストッパー２５ａ、２６ａと同一面に配置してある。
【００３６】  図１の本発明の実施形態で説明したと同様に、該軸受溝２３ａの最上点とほぼ同じ位置に該固定プレート２１にマグネット（ａ）８を設け、該マグネット（ａ）８の周囲に、かつ該マグネット（ａ）８との対峙面が同じ極性をもった２個のマグネット（ｂ）９を、該マグネット（ａ）８との磁力の作用効果がある近接した該可動プレート２２上に配置し、用紙のセットポジション以降は該マグネット同士の反発力で誘導され、該支軸２４ａが該軸受溝２３ａの最上点近傍に保持される構造である。
【００３７】  用紙セット位置、用紙プレス開始位置、およびプレス終了位置での該固定プレート１１と可動プレート２２との相対的位置関係は、図１の本発明の実施形態で説明した図６（ａ）〜（ｆ）で示した内容と同じであるので、ここでは省略する。
【００３８】  固定プレート２１に用紙の短辺方向に回転可能に連結された延長固定プレート１３、ま  た可動プレート２２に同様に回動可能に連結された延長可動プレート１４を備えた構造である。それぞれの延長プレートを設けることで、用紙のそれぞれのプレートへの接地面を増やし用紙セット時の用紙姿勢を安定にして、用紙の位置決めを容易にすることが可能である。
【００３９】  該延長固定プレート１３と該延長可動プレート１４は該固定プレート２１および該可動プレート２２に折り畳み可能で、収納時にコンパクト化できる。本実施形態の手動紙折り器は、これによって小形軽量で収納し易く、使用時には折り畳んだ各延長プレートを開き、用紙セット時の用紙姿勢を安定にして、用紙の位置決めを容易にする。
【００４０】  次に、以上のように構成された形態についての使用の一例を図１２（ａ）〜（ｅ）にもとづいて説明する。
先ずは、図１１で示す収納状態から図１０に示すように該延長固定プレート１３と該延長可動プレート１４を矢印方向Ｇ、Ｈに回動させ使用状態とする。さらに図１２（ａ）に示すように該可動プレート２２を可動プレートのストッパー部２５ｃの位置まで矢印Ｆの方向に開口し、用紙セットポジションで待機させる。
【００４１】  用紙セットポジションにおいて、用紙端面１１ａを該ストッパー２５ａに、用紙端面１１ｂを該固定プレート２１に設けた該ストッパー（ｃ）２３ｃにそれぞれ突き当てて位置決めする。
【００４２】  次に、図１２（ｂ）に示すように前記用紙１１の折り曲げ方向のもう一方の端面１１ｃを該可動プレート２２の該ストッパー２６ａに突き当てる。
【００４３】  次に、図１２（ｃ）に示すように、Ｕ字に曲げられた用紙１１の膨らみの頂点付近を矢印Ｈの方向に押え、該可動式ストッパー７の爪７ａに押し付け、その状態を手で保持する。同時に前記用紙の端面１１ｂを用紙端面ｂストッパー（ｄ）２４ｃに突き当てる。
【００４４】  次に、図１２（ｄ）に示すプレス開始位置まで該可動プレート２２を回転させる。その際に、用紙１１は該固定プレート２１と該可動プレート２２によって挟まれた状態で折り返され図８に示すようにＳ字状態となる。この際、用紙１１は、三つ折りする方向の端面１１ａ、１１ｃをそれぞれ該ストッパー２５ａ、２６ａに突き当てられている。Ｓ字状態の用紙折り返し膨らみ部１１ｄ、１１ｅは、それぞれ該ストッパー２５ｂ、２６ｂおよび該可動式ストッパー７の爪７ａで拘束されている。
【００４５】  なお、プレス開始位置で、前記用紙セットポジションで用紙端面１１ｃと本器具の用紙端面の該ストッパー２６ａに突き当たっていることを覗き孔（図示せず）から確認することができる。用紙のズレをこの時点で修正もでき、より正確な三つ折り位置とすることができる。
【００４６】  さらに、前記可動プレート２２を固定プレート２１方向に降下されてプレスする。
【００４７】  その後、図１２（ｅ）に示すように可動プレートストッパー部２５ｃの位置まで該可動プレート２２を矢印Ｊ方向に開口させて、三つ折りされた用紙を器具から取り出す。
【００４８】  用紙を器具から取り出されたＺ字形状に三つ折りされた用紙は、片方の端面のみ折れ目がついているので、それに沿って手でなぞって用紙全体を三つ折りして完成させることができる。
【００４９】  なお、本発明の一実施例につき説明したが、本発明は既述の実施例に限定されるものではなく、本発明の技術的思想に基づいて、各種の変形および変更が可能であることは当然である。
【符号の説明】
【００２８】１    固定プレート
２    可動プレート
３    固定プレートの側板
３ａ  軸受溝
３ｂ  ローラガイド
３ｃ  用紙の短辺端面（ｂ）のストッパー（ａ）
４    可動プレートの側板
４ａ  支軸
４ｂ  ローラ
４ｃ  用紙の短辺端面（ｂ）のストッパー（ｂ）
５    ストッパーブロック（ａ）
５ａ  折り曲げ方向の用紙端面（ａ）のストッパー
５ｂ  用紙折り返し膨らみ（ｂ）のストッパー
５ｃ  可動プレートのストッパー
６    ストッパーブロック（ｂ）
６ａ  折り曲げ方向の用紙端面（ｃ）のストッパー
６ｂ  用紙折り返し膨らみ（ａ）のストッパー
７    可動式ストッパー
７ａ  爪
７ｂ  ピン（ａ）
７ｃ  ピン（ｂ）
７ｄ  ばね
８    マグネット（ａ）
９    マグネット（ｂ）
１１  用紙
１１ａ  折り曲げ方向の用紙端面（ａ）
１１ｂ  用紙の短辺端面（ｂ）
１１ｃ  折り曲げ方向の用紙端面（ｃ）
１１ｄ  用紙折り返し膨らみ（ａ）
１１ｅ  用紙折り返し膨らみ（ｂ）
１２  三つ折り状態の用紙
１３  延長固定プレート
１４  延長可動プレート
２１  固定プレート
２２  可動プレート
２３ａ  軸受溝
２３ｂ  ローラガイド
２３ｃ  用紙の短辺端面（ｂ）のストッパー（ｃ）
２４  可動プレート側板
２４ａ  支軸
２４ｂ  ローラ
２４ｃ  用紙の短辺端面（ｂ）のストッパー（ｄ）
２５ａ  折り曲げ方向の用紙端面（ａ）のストッパー
２５ｂ  用紙折り返し膨らみ（ｂ）のストッパー
２５ｃ  可動プレートのストッパー
２６ａ  折り曲げ方向の用紙端面（ｃ）のストッパー
２６ｂ  用紙折り返し膨らみ（ａ）のストッパー
【図１】
2019064824.tif 000003
【図２】
2019064824.tif 000004
【図３】
2019064824.tif 000005
【図４】
2019064824.tif 000006
【図５】
2019064824.tif 000007
【図６（ａ）】
2019064824.tif 000008
【図６（ｂ）】
2019064824.tif 000009
【図６（ｃ）】
2019064824.tif 000010
【図６（ｄ）】
2019064824.tif 000011
【図６（ｅ）】
2019064824.tif 000012
【図６（ｆ）】
2019064824.tif 000013
【図７（ａ）】
2019064824.tif 000014
【図７（ｂ）】
2019064824.tif 000015
【図７（ｃ）】
2019064824.tif 000016
【図７（ｄ）】
2019064824.tif 000017
【図７（ｅ）】
2019064824.tif 000018
【図８】
2019064824.tif 000019
【図９】
2019064824.tif 000020
【図１０】
2019064824.tif 000021
【図１１】
2019064824.tif 000022
【図１２（ａ）】
2019064824.tif 000023
【図１２（ｂ）】
2019064824.tif 000024
【図１２（ｃ）】
2019064824.tif 000025
【図１２（ｄ）】
2019064824.tif 000026
【図１２（ｅ）】
2019064824.tif 000027